【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
単一ワイヤレスデバイス上の第１及び第２の隣接するワイヤレストランシーバのオペレーションを調整する方法であって、
前記単一ワイヤレスデバイス上に位置するワイヤレスデバイスコントローラで信号を受け取ることであって、前記受信した信号が、将来のタイムスロットの間の前記第１の隣接するワイヤレストランシーバの意図される送信状態を示し、前記意図される送信状態が、前記第１の隣接するワイヤレストランシーバが前記将来のタイムスロットの間に第１のデータを送信することを意図するか否かを示す、前記受け取ることと、
前記意図される送信状態が、前記第１の隣接するワイヤレストランシーバが前記将来のタイムスロットの間に第１のデータを送信することを意図していないことを示す場合、前記第２の隣接するワイヤレストランシーバから遠隔デバイスへ第２のデータを送信することと、
前記第１の隣接するワイヤレストランシーバが第１のデータを送信することを意図していない前記将来のタイムスロットの間に前記第２のデータの前記送信が終わるように、前記第２の隣接するワイヤレストランシーバからの前記第２のデータの送信を制御することであって、前記第２の隣接するワイヤレストランシーバが前記遠隔デバイスから応答送信を受け取ることを可能にするために充分な時間が前記将来のタイムスロットに残っている、前記制御することと、
を含む、方法。
【請求項２】
請求項１に記載の方法であって、
前記応答送信がアクノリッジメント送信である、方法。
【請求項３】
請求項１に記載の方法であって、
前記第１及び第２のワイヤレストランシーバが、隣接する周波数帯域を共有する、方法。
【請求項４】
請求項１に記載の方法であって、
前記第１のワイヤレストランシーバが、インターナショナル・モバイル・テレコミュニケーションズ・アドバンスト（４Ｇロングタームエボリューション）規格を用いて動作する、方法。
【請求項５】
請求項１に記載の方法であって、
前記第２のワイヤレストランシーバが、ブルートゥーストランシーバとＷｉ‐Ｆｉトランシーバとのうちの１つである、方法。
【請求項６】
請求項１に記載の方法であって、
前記将来のタイムスロットが、前記ワイヤレスデバイスコントローラで前記信号を受け取る前記オペレーションの２〜３ミリ秒後に起こる、方法。
【請求項７】
請求項１に記載の方法であって、
前記タイムスロットの持続時間が約１ミリ秒であり、前記意図される送信状態が、現在のタイムスロットに比べて将来の１、２、又は３タイムスロットの間の送信状態を示す、方法。
【請求項８】
単一ワイヤレスデバイス上の第１及び第２の隣接するワイヤレストランシーバのオペレーションを調整する方法であって、
前記単一ワイヤレスデバイス上に位置するワイヤレスデバイスコントローラで１つ又は複数の信号を受け取ることであって、前記１つ又は複数の受信した信号が、複数の将来のタイムスロットの間の前記第１の隣接するワイヤレストランシーバの意図される送信状態を示し、前記意図された送信状態が、前記第１の隣接するワイヤレストランシーバが前記複数の将来のタイムスロットのうち任意のタイムスロット又はすべてのタイムスロットの間第１のデータを送信することを意図するか否かを示す、前記受け取ることと、
前記複数の将来のタイムスロットの間に前記第１の隣接するワイヤレスネットワークの前記意図される送信状態を、前記単一ワイヤレスデバイス上のメモリ要素にストアすることと、
前記意図される送信状態が、前記複数の将来のタイムスロットの少なくとも１つの間に前記第１の隣接するワイヤレストランシーバが第１のデータを送信することを意図していないことを示す場合、前記第２の隣接するワイヤレストランシーバにおける第２のデータを遠隔デバイスへ送信することと、
前記第１の隣接するワイヤレストランシーバが第１のデータを送信することを意図していない前記複数の将来のタイムスロットのうちの１つである終了タイムスロットの間に前記第２のデータの前記送信が終わるように、前記第２の隣接するワイヤレストランシーバからの前記第２のデータの送信を制御することであって、前記第２の隣接するワイヤレストランシーバが前記遠隔デバイスから応答送信を受け取るためことを可能にするために充分な時間が前記終了タイムスロットに残っている、前記制御することと、
を含み、
前記意図される送信状態が、前記第１の隣接するトランシーバが複数の隣接するタイムスロットの間に第１のデータを送信することを意図していないことを示すとき、前記複数の将来のタイムスロットから選択される前記複数の隣接するタイムスロットを介して前記第２のデータが継続的に送信される、方法。
【請求項９】
請求項８に記載の方法であって、
前記応答送信がアクノリッジメント送信である、方法。
【請求項１０】
請求項８に記載の方法であって、
送信期間の間に複数の初期タイムスロットが提供され、初期の意図される送信状態が、前記第１の隣接するワイヤレストランシーバが前記初期タイムスロットの間データを送信することを意図しないことを示す、方法。
【請求項１１】
請求項８に記載の方法であって、
前記第１及び第２の隣接するワイヤレストランシーバが隣接する周波数帯を共有する、方法。
【請求項１２】
請求項８に記載の方法であって、
前記第１のワイヤレストランシーバが、インターナショナル・モバイル・テレコミュニケーションズ・アドバンスト（４Ｇロングタームエボリューション）規格を用いて動作する、方法。
【請求項１３】
請求項８に記載の方法であって、
前記第２のワイヤレストランシーバが、ブルートゥーストランシーバとＷｉ‐Ｆｉトランシーバとのうちの１つである、方法。
【請求項１４】
請求項８に記載の方法であって、
前記将来のタイムスロットが、前記ワイヤレスデバイスコントローラで１つ又は複数の信号を受け取る前記オペレーションの１〜３ミリ秒後に起こる、方法。
【請求項１５】
請求項８に記載の方法であって、
前記タイムスロットの持続時間が約１ミリ秒であり、前記１つ又は複数の意図される送信状態が、現在のタイムスロットに比べて将来の１、２、又は３タイムスロットの間の送信状態を示す、方法。
【請求項１６】
第１及び第２の隣接するワイヤレストランシーバを有するワイヤレスデバイス上のワイヤレス信号を、前記第２の隣接するワイヤレストランシーバから送信する方法であって、
複数の将来のタイムスロットの間の前記第１の隣接するワイヤレストランシーバの１つ又は複数の意図される送信状態を判定することであって、前記意図される送信状態が、前記第１の隣接するワイヤレストランシーバが前記複数の将来のタイムスロットのうちの任意のタイムスロット又はすべてのタイムスロットの間に第１のデータを送信することを意図するか否かを示す、前記判定することと、
前記意図される送信状態が、前記第１の隣接するワイヤレストランシーバが前記複数の将来のタイムスロットの少なくとも１つの間に第１のデータを送信することを意図していないことを示すとき、前記第２の隣接するワイヤレストランシーバから遠隔デバイスへ第２のデータを送信することと、
前記第１の隣接するワイヤレストランシーバが第１のデータを送信することを意図していない前記将来のタイムスロットのうちの１つである終了タイムスロットの間に前記第２のデータの前記送信が終わるように、前記第２の隣接するワイヤレストランシーバからの前記第２のデータの送信を制御することであって、前記第２の隣接するワイヤレストランシーバが前記遠隔デバイスから応答送信を受け取ることを可能にするために充分な時間が前記終了タイムスロットに残っている、前記制御することと、
を含み、
前記意図される送信状態が、前記第１の隣接するネットワークが終了タイムスロットの間第１のデータを送信することを意図していないことを示すとき、前記複数の将来のタイムスロットから選択される複数の隣接するタイムスロットを介して前記第２のデータが継続的に送信される、方法。
【請求項１７】
請求項１６に記載の方法であって、
前記応答送信がアクノリッジメント送信である、方法。
【請求項１８】
請求項１６に記載の方法であって、
送信期間の間に複数の初期タイムスロットが提供され、初期の意図される送信状態が、前記第１の隣接するワイヤレストランシーバが前記初期タイムスロットの間データを送信することを意図しないことを示す、方法。
【請求項１９】
請求項１６に記載の方法であって、
前記第１及び第２の隣接するワイヤレストランシーバが、隣接する周波数帯を共有する、方法。
【請求項２０】
請求項１６に記載の方法であって、
前記第１のワイヤレストランシーバが、インターナショナル・モバイル・テレコミュニケーションズ・アドバンスト（４Ｇロングタームエボリューション）規格を用いて動作する、方法。
【請求項２１】
請求項１６に記載の方法であって、
前記第２のワイヤレストランシーバが、ブルートゥーストランシーバとＷｉ‐Ｆｉトランシーバとのうちの１つである、方法。
【請求項２２】
請求項１６に記載の方法であって、
前記将来のタイムスロットが、前記１つ又は複数の意図される送信状態を判定する前記オペレーションの２〜３ミリ秒後に起こる、方法。
【請求項２３】
請求項１６に記載の方法であって、
前記タイムスロットの持続時間が約１ミリ秒であり、前記１つ又は複数の意図される送信状態が、現在のタイムスロットに比べて将来の１、２、又は３タイムスロットの間の送信状態を示す、方法。